(57)【要約】      （修正有）【課題】藻礁を設置する領域の形状に関わらず、設置が可能な藻礁装置を提供する。【解決手段】藻礁装置は、少なくとも１つのフレキシブルな線状部材２と、前記線状部材に支持される複数の多孔質部材３と、を備えている。【選択図】図１
2014117230.tif 000002
【特許請求の範囲】
【請求項１】
少なくとも１つのフレキシブルな線状部材と、
前記線状部材に支持される複数の多孔質部材と、
を備えている、藻礁装置。
【請求項２】
前記多孔質部材は、中空の筒状に形成されており、その内部空間に前記線状部材が挿通される、請求項１に記載の藻礁装置。
【請求項３】
前記線状部材を構成との一部して含む網材を備えており、
当該網材を構成する線状部材に前記複数の多孔質部材が支持されている、請求項１または２に記載の藻礁装置。
【請求項４】
前記線状部材上に配置され、隣接する前記多孔質部材の間において、当該多孔質部材と接触することで前記線状部材上での当該多孔質部材の回転を規制する介挿部材をさらに備えている、請求項１から３のいずれかに記載の藻礁装置。
【請求項５】
前記線状部材を支持し、前記多孔質部材を水中に配置するように構成されている基台をさらに備えている、請求項１から４のいずれかに記載の藻礁装置。
【請求項６】
前記基台を水中の所定の位置に配置するための少なくとも１つの浮揚部材を備えており、
前記浮揚部材は、水に浮くように構成され、前記基台または線状部材に取付けられている、請求項５に記載の藻礁装置。
【請求項７】
前記多孔質部材は、発泡ガラスにより形成されている、請求項１から５のいずれかに記載の藻礁装置。
【請求項８】
前記多孔質部材には、鉄、リンの少なくとも１つが含有されている、請求項１から６のいずれかに記載の藻礁装置。
【発明の詳細な説明】
【技術分野】
【０００１】
本発明は、藻礁装置に関する。
【背景技術】
【０００２】
従来より、藻礁を形成するための種々の装置が提案されている。例えば、特許文献１には、内部空間を有するブロックを海中に沈める藻礁が開示されている。
【先行技術文献】
【特許文献】
【０００３】
【特許文献１】特開２００４−１４１０６６号公報
【発明の概要】
【発明が解決しようとする課題】
【０００４】
しかしながら、上記のようなブロック状の藻礁は、これを沈める海中の形状によっては、配置することができない。すなわち、狭い領域などでは、藻礁を配置することができない。本発明は、上記問題を解決するためになされたものであり、藻礁を設置する領域の形状に関わらず設置が可能な藻礁装置を提供することを目的とする。
【課題を解決するための手段】
【０００５】
本発明に係る藻礁装置は、少なくとも１つのフレキシブルな線状部材と、前記線状部材に支持される複数の多孔質部材と、を備えている。
【０００６】
この構成によれば、藻礁を展開する領域にフレキシブルな線状部材を配置し、この線状部材に沿って多孔質部材を配置することで、藻礁を形成している。したがって、藻礁を設ける領域の大きさ、形状に関わらず、場所を選ばずに、線状部材を配置することができれば、自由に藻礁を形成することができる。
【０００７】
多孔質部材の形状は特には限定されないが、例えば、中空の筒状に形成することができる。このようにすると、その内部空間に線状部材を挿通できるため、多孔質部材を線状部材に簡単に取り付けることができる。
【０００８】
上記藻礁装置においては、線状部材を構成との一部して含む網材を設け、この網材を構成する線状部材に複数の多孔質部材が支持することができる。
【０００９】
上記線状部材において、隣接する多孔質部材の間には、当該多孔質部材と接触することで線状部材上での当該多孔質部材の回転を規制する介挿部材を配置することができる。このような介挿部材を設けると、多孔質部材と介挿部材の接触により多孔質部材が線状部材の周りを回転するのを防止することができる。これにより、次のような効果を得ることができる。藻は、太陽光が照射されることにより成長するため、多孔質部材が、例えば波の作用によって線状部材上で回転すると、藻が形成された領域が海面とは反対側に向き、成長が阻害されるおそれがある。したがって、多孔質部材が線状部材で回転するのが防止されれば、藻に太陽光を確実に照射できるため、藻を十分に成長させることができる。
【００１０】
基台を用いる場合、基台を水中の所定の位置に配置するための少なくとも１つの浮揚部材を設けることができる。この浮揚部材は、水に浮くように構成され、基台または線状部材に取付けることができる。これにより、海面に浮く浮揚部材によって基台を所定の深さに配置されるように吊り下げることができる。
【００１１】
線状部材は、例えば、岸壁の間に掛け渡すことができるが、線状部材を支持する基台を設けることもできる。例えば、線状部材を支持し、多孔質部材を海面より下方に配置するように構成されている基台を設けることができる。
【００１２】
多孔質部材の材料は特には限定されないが、例えば、発泡ガラスにより形成することができる。発泡ガラスは廃材で形成することができるため、コストを低減することができる。
【００１３】
また、多孔質部材には、鉄、リンの少なくとも１つが含有されていることが好ましい。これは、鉄、リンは藻の成長を促進するからであり、鉄やリンを多孔質部材人に混入させるか、あるいは多孔質部材の表面に吸着させることもできる。
【発明の効果】
【００１４】
本発明に係る藻礁装置によれば、藻礁を設置する領域の形状に関わらず設置が可能となる。
【図面の簡単な説明】
【００１５】
【図１】本実施形態に係る藻礁装置の斜視図である。
【図２】図１における多孔質部材の表面に藻が付着した様子を示す図である。
【図３】図１のロープに介挿部材を取り付けた状態を示す図である。
【図４】図１の多孔質部材の他の例を示す断面図である。
【図５】図１の多孔質部材の他の例を示す側面図である。
【図６】図１の基台とロープの他の例を示す平面図である。
【図７】図１の基台の他の例を示す断面図である。
【図８】図１の藻礁装置の他の例を示す平面図である。
【発明を実施するための形態】
【００１６】
以下、本発明に係る藻礁装置の一実施形態について図面を参照しつつ説明する。図１は、本実施形態に係る藻礁装置の斜視図である。
【００１７】
図１に示すように、本実施形態に係る藻礁装置は、海洋中に沈められる基台１を有している。この基台１は、金属、木材などの棒状部材を組み合わせることで形成された直方体状のフレームで構成されている。具体的には、矩形状の上枠１１と下枠１２とを、それぞれ角部同士を上下方向に延びる棒状部材１３で連結することで、形成されている。そして、下枠１２において、対向する一対の棒状部材の間には、複数のロープ２（線状部材）が平行に掛け渡されている。また、各ロープ２には、複数の多孔質部材３が、長手方向に沿って取り付けられている。
【００１８】
より詳細に説明すると、各多孔質部材３は、中空の円筒状に形成されており、内部空間３１にロープ２が挿通されている。これにより、複数の多孔質部材３は、ロープ２に沿って、軸方向に並ぶように配置されている。
【００１９】
多孔質部材３は、種々の材料で形成することができる。すなわち、表面に海藻が育成されるような多数の細孔が形成されていれば特には限定されないが、例えば、樹脂、発泡ガラス、軽石、焼結体などの種々の材料で形成することができる。また、多孔質部材３の細孔は、藻が成長しやすいな大きさであれば、特には限定されない。
【００２０】
ここで、発泡ガラスとは、多数の細孔を有するガラスであり、一例では、粉砕したガラスと発泡剤とを混合したものを焼成することによって製造することができる。以下、発泡ガラスの製造方法の一例について詳細に説明する。
【００２１】
まず、発泡ガラスの原料となるガラス（以下、「原料ガラス」と称する）を粉砕する。原料ガラスの種類は特に限定されないが、ソーダ石灰ガラス、ほうケイ酸ガラス、アルミノケイ酸ガラスなどが例示される。原料のガラスには、ブラウン管、液晶、プラズマディスプレイなどに由来する廃ガラス（リサイクルガラス）を用いてもよい。原料ガラスの粉砕方法は特に限定されず、市販の振動ミルなどを用いて粉砕することができる。粉砕後のガラス（以下、「粉砕ガラス」と称する）の粒径は、特に限定されないが、粉砕ガラスと発泡剤とが均一に混合されるように小さい方が好ましい。一例では、原料ガラスの粉砕後に目開きが５００μｍ以下である篩を用いて粒度選別を行って、粉砕ガラスの粒径が５００μｍ以下になるようにすることが好ましい。
【００２２】
次に、粉砕ガラスと発泡剤とを混合する。また、この際、カルシウム、マグネシウム、鉄のうちの少なくとも１種を含む材料を加えることもできる。このような材料としては、具体的には、炭酸カルシウム、水酸化カルシウム、炭酸マグネシウム、水酸化マグネシウム、ベンガラ、フェライトなどが挙げられる。このような材料の含有量は、特に限定されないが、１〜２０重量％が好ましく、５〜１５重量％が特に好ましい。このような範囲内であれば、リン酸イオン吸着率の向上が顕著であるからである。発泡剤の種類は、特に限定されず、ＳｉＣ、ＳｉＮ，ＣａＣＯ3や、ＣａＣＯ3を含む材料（貝殻など）などを用いることができる。このような発泡剤は、ガラスが軟化する温度でガスを発生させるので、その結果、ガラス内部に多数の細孔が形成されて、発泡ガラスが製造される。また、発泡剤の含有量は、特に限定されないが、０．１〜５重量％が好ましく、０．２〜２．０重量％が特に好ましい。このような範囲内であれば、発泡が十分に起こり、かつ、発泡過剰による発泡ガラスの強度低下が生じることを避けることができるからである。
【００２３】
次に、混合済みの粉砕ガラスと発泡剤を焼成する。焼成の温度や時間は、ガラスが適切に発泡するように、ガラスや発泡剤の種類に応じて適宜設定する。焼成温度は、一例では、６００〜１１５０℃である。焼成温度は、ソーダ石灰ガラスについては、８００〜１０００℃が好ましい。このような範囲であれば、ガラスが十分に軟化して細孔が適切に形成され、かつ、ガラスが柔らかくなりすぎないので形成された細孔が再度塞がることを避けることができるからである。また、焼成時間は、一例では、１〜６０分であり、好ましくは、５〜１０分である。このような範囲内であれば、発泡が十分に起こり、かつ、形成された細孔が再度塞がったり泡がくっつきあうことによって表面の微細さが無くなったりすることを避けることができるからである。以上の工程によって発泡ガラスが製造される。
【００２４】
また、多孔質部材の表面に鉄やリンを吸着させたり、あるいは発泡ガラスの製造工程で、粉砕ガラスに鉄、リン、またはアミノ酸を混入させて発泡ガラスを製造することもできる。具体的には、リンとして養鶏場より排出される鶏糞焼却灰、鉄として製鋼所より排出される酸化第二鉄、またアミノ酸として鰹節の削り粉を用いることができる。
【００２５】
上記のように構成された藻礁装置は、次のように使用される。まず、多孔質部材３が、例えば、海面から０．５〜３ｍの深さに位置するように、基台１を海洋に沈める。このような深さに多孔質部材３を配置するのは、太陽光が多孔質部材３に届くようにするためであり、これによって藻が成長する。この状態で、図２に示すように、多孔質部材３の表面に、海藻Ａが付着し育成されていく。
【００２６】
以上のように、本実施形態によれば、ロープ２複数の多孔質部材３を取り付け、このようなロープを複数基台１に配置することで、藻礁装置を構成している。このため、簡単な構成で広範囲に亘って多孔質部材３を配置できるため、広範囲での藻の育成が期待できる。また、フレキシブルなロープ２に沿って多孔質部材３を配置しているため、ロープ２の形状を変化させるだけで、藻礁の形状を変更することができる。特に、多孔質部材３が中空の円筒状に形成されているため、多孔質部材３を配置するには、ロープ２に多孔質部材３を順に挿通するだけであるため、多孔質部材３の配置を簡単に行うことができる。そして、藻の短期間での成長を期待できる。
【００２７】
以上、本発明の一実施形態について説明したが、本発明は、上記実施形態に限定されるものではなく、その趣旨を逸脱しない限りにおいて種々の変更が可能である。例えば、海中では波の作用により、ロープ２が揺れ、多孔質部材３がロープ２の周りを回転するおそれがある。これにより、せっかく成長した藻が海面とは反対側を向いてしまい、太陽光が当たらずに成長できないおそれもある。そのため、多孔質部材３はロープ２上で回転せずに固定されていることが好ましい。
【００２８】
このような多孔質部材３の回転を防止するには、種々の方法があるが、例えば、多孔質部材３の内径をロープ２と同等にして多孔質部材３をロープ２に固定する方法がある。その他、例えば、以下のようにすることができる。まず、図３に示すように、隣接する多孔質部材３の間に、ゴムなどの摩擦係数の大きい介挿部材４を配置する。この介挿部材４は、ロープ２が挿通されるような中空の筒状に形成されており、軸方向の側面が多孔質部材３の軸方向の側面と接触するような大きさに形成されている。これにより、多孔質部材３と介挿部材４との接触が摩擦力によって保持され、多孔質部材３がロープ２の周りを回転するのを防止することができる。なお、介挿部材４は、ロープ２に固定されることが好ましく、そのためには、介挿部材４の内径をロープ２とほぼ同じにすることができる。
【００２９】
また、多孔質部材３の形状を変化させることで、多孔質部材３の回転を防止することもできる。図４（ａ）は、多孔質部材３を多角筒状に形成した例を示している。このようにすると、多孔質部材３の内壁面の角部にロープ２が引っかかるため、多孔質部材３がロープ２の周りで回転するのを防止することができる。図４（ｂ）は、多孔質部材３の内壁面に軸方向に延びる突起３２を１つ設けた例を示している。このようにすると、突起３２と内壁面との間にロープ２が引っかかるため、多孔質部材３の回転を防止することができる。あるいは、図４（ｃ）に示すように、多孔質部材３の内壁面に、軸方向に延びる突起３３を２つ設け、これら突起３３の間にロープ２を配置すれば、多孔質部材３の回転を防止することができる。
【００３０】
また、多孔質部材３は、筒状でなくてもよく、ロープ２に固定されるように構成されていればよく、その他の部分の形状は特には限定されない。例えば、図５に示すように、球状の本体部３５と、この本体部３５にロープ２が挿通される貫通孔を有する係合部３６とで構成された多孔質部材３を用いることもできる。
【００３１】
上記実施形態では、複数のロープ２を平行に配置しているが、ロープ２の配置方法は特には限定されない。したがって、藻礁を形成する領域に合わせて、複数のロープ２を配置し、これらに、多孔質部材３を取り付ければよい。例えば、図６に示すように、基台１として所定間隔を置いて配置される棒状部材を準備し、この間に複数のロープ２を裾広がりに配置すれば、台形状に多孔質部材３を配置することができる。このとき、基台１を、藻礁の形状に合わせて台形状にすることもできる。また、基台を設けず、ロープを岩礁などの構造物に直接固定することもできる。
【００３２】
上記実施形態で用いられる基台１は、水中の所定の深さに沈められるのであれば、その方法は特には限定されないが、例えば、図７に示すように、基台に複数の浮揚部材９０（いわゆるブイなど）を取付け、海面に浮く浮揚部材９０によって基台１が所定の深さに配置されるように吊り下げることもできる。
【００３３】
上記実施形態では、複数のロープ２を平行に配置し、これらロープ２に多孔質部材３を配置したが、例えば、図８のようにすることができる。この例では、平行に配置された複数のロープ２（以下、第１ロープという）と直交するように、複数の第２ロープ８を平行に配置している。こうして、第１及び第２ロープ２，８とで格子状の面が形成される。多孔質部材３は、第１ロープ２に所定間隔をおいて配置し、第２ロープ８は、隣接する多孔質部材３の間を通過するように配置される。これにより、多孔質部材８は、第２ロープ８に挟まれるので、第１ロープ２に沿って移動するのが防止される。このとき、隣接する第２ロープ８の間に１個の多孔質部材３を配置するほか、複数の多孔質部材３を配置することもできる。また、第１ロープ２と第２ロープ８とは、固定されていなくてもよく、少なくとも接触可能な位置に配置されればよい。このような直交するロープを用いて多孔質部材３を支持するほか、交差する線状部材３で形成された網材を用いて多孔質部材３を支持することもできる。この場合、網材を構成する線状部材のいずれかの部分に多孔質部材３を取付ける。なお、網材におけるロープ２，８の張り方は特には限定されず、複数のロープ２，８が交差するように配置され、そのいずれかの位置に多孔質部材３が支持されていればよい。そして、このような網材を基台に取り付けることもできるし、岩礁などの海洋などにある構造物に取り付けることもできる。
【００３４】
上記実施形態では、ロープ２を用いているが、柔軟性のある線状部材であれば、特には限定されない。
【００３５】
また、基台１の形状も特には限定されず、ロープ２を支持でき、海洋に所定の深さだけ沈めることができればよい。さらに、必ずしも基台１を設ける必要はなく、例えば、岸壁の間にロープ２を掛け渡し、このロープ２に複数の多孔質部材３を配置することもできる。そして、必要に応じて、ロープ２に上述した浮揚部材を取り付けてもよい。なお、本発明に係る藻礁は、多孔質部材に穴や窪みを形成することで、魚礁としても用いることができる。
【００３６】
上記実施形態では、本発明に係る藻礁を海洋に沈めて使用する例を示したが、河川、湖沼においても藻を育成するものとして利用することができる。
【符号の説明】
【００３７】
１  基台
２  ロープ（線状部材）
３  多孔質部材
４  介挿部材
【図１】
2014117230.tif 000003
【図２】
2014117230.tif 000004
【図３】
2014117230.tif 000005
【図４】
2014117230.tif 000006
【図５】
2014117230.tif 000007
【図６】
2014117230.tif 000008
【図７】
2014117230.tif 000009
【図８】
2014117230.tif 000010